(57)【要約】【課題】釣り糸が連結されている状態の釣り針に対して、集魚用パーツを容易に着脱することのできるルアー用コネクタ及びルアーを提供する。【解決手段】ルアー用コネクタ１０は、釣り針２０と、集魚用パーツとしてのスカート３０との間に介設されるものであって、スカート３０が連結される軸部１２と、軸部１２よりも外周側に向けて突出するとともに釣り針２０が挿通される挿通孔１６ａを有し、周方向に間隔をおいて形成された複数の突出部１６とを備えており、軸部１２及び複数の突出部１６が可撓性の材料により一体に形成されてなる。【選択図】図１
0003212240.tif 000002
【実用新案登録請求の範囲】
【請求項１】
釣り針と、集魚用パーツとの間に介設されるルアー用コネクタであって、
前記集魚用パーツが連結される軸部と、
前記軸部よりも外周側に向けて突出するとともに前記釣り針が挿通される挿通孔を有し、
周方向に間隔をおいて形成された複数の突出部と、を備え、
前記軸部及び前記複数の突出部が可撓性の材料により一体に形成されてなる、
ルアー用コネクタ。
【請求項２】
前記軸部は中心孔を有している、
請求項１に記載のルアー用コネクタ。
【請求項３】
請求項２に記載のルアー用コネクタにおいて、
前記軸部の中心孔には、ヨリモドシの一端部が挿入して固定されており、
前記ヨリモドシの他端部には、集魚用パーツが連結されている、
ルアー用コネクタ。
【請求項４】
請求項１〜請求項３のいずれか一項に記載のルアー用コネクタにおいて、
前記軸部の外周面には、集魚用パーツが連結されている、
ルアー用コネクタ。
【請求項５】
請求項３または請求項４に記載のルアー用コネクタと、
前記複数の突出部の前記挿通孔のうちの少なくとも１つに挿通された釣り針と、
を備える、
ルアー。
【考案の詳細な説明】
【技術分野】
【０００１】
本考案は、釣り針と、集魚用パーツとの間に介設されるルアー用コネクタ及び同コネクタと釣り糸とを備えるルアーに関する。
【背景技術】
【０００２】
従来、釣り針と、スカートやネクタイ、ブレードといった集魚用パーツとを備えるルアーがある（例えば特許文献１参照）。
特許文献１に記載のルアーは、スピナールアーと称されるものであり、釣り針、ブレード、ヨリモドシ、及びこれらを連結するスプリットリングを備えている。釣り針にはアイを形成する編み糸が連結されている。ブレードの一端にはアイが形成されている。そして、編み糸のアイ、ブレードのアイ、及びヨリモドシの一端のアイにスプリットリングが挿通されている。
【０００３】
また、集魚用パーツとしては、柔軟性を有する紐状のスカートや、柔軟性を有する帯状のネクタイなどがある。こうしたスカートやネクタイは、釣り針に糸などを用いて固定されている。
【先行技術文献】
【特許文献】
【０００４】
【特許文献１】特開２０１６−２０７８号公報
【考案の概要】
【考案が解決しようとする課題】
【０００５】
ところで、特許文献１に記載のルアーも含めて従来のルアーにおいては、ブレードやスカートなどの集魚用パーツが釣り針にスプリットリングを介して連結されていたり、集魚用パーツが釣り針に固定されていたりするため、釣り針から集魚用パーツを取り外すことが困難である。そのため、フィッシングの際に、釣り糸が連結されている状態の釣り針に対して集魚用パーツを変更しようとすると、釣り糸とルアーとの連結部を切断し、ルアーごと変更しなければならず、手間を要する。
【０００６】
本考案の目的は、釣り糸が連結されている状態の釣り針に対して、集魚用パーツを容易に着脱することのできるルアー用コネクタ及びルアーを提供することにある。
【課題を解決するための手段】
【０００７】
上記目的を達成するためのルアー用コネクタは、釣り針と、集魚用パーツとの間に介設されるルアー用コネクタであって、前記集魚用パーツが連結される軸部と、前記軸部よりも外周側に向けて突出するとともに前記釣り針が挿通される挿通孔を有し、周方向に間隔をおいて形成された複数の突出部と、を備え、前記軸部及び前記複数の突出部が可撓性の材料により一体に形成されている。
【０００８】
同構成によれば、コネクタの軸部に集魚用パーツが連結されるとともに、コネクタの複数の突出部の挿通孔のうちの少なくとも１つに釣り針が挿通される。ここで、コネクタは可撓性の材料により一体に形成されているため、突出部を適宜撓ませることにより挿通孔に対して釣り針を着脱することができる。したがって、釣り糸が連結されている状態の釣り針に対して、集魚用パーツを容易に着脱することができる。
【０００９】
上記ルアー用コネクタにおいて、前記軸部は中心孔を有していることが好ましい。
同構成によれば、軸部の中心孔にヨリモドシを挿通して組み付けることが可能となる。このため、ヨリモドシを介して集魚用パーツを軸部に容易に連結することができる。
【００１０】
上記ルアー用コネクタにおいて、前記軸部の中心孔には、ヨリモドシの一端部が挿入して固定されており、前記ヨリモドシの他端部には、集魚用パーツが連結されていることが好ましい。
【００１１】
上記ルアー用コネクタにおいて、前記軸部の外周面には、集魚用パーツが連結されていることが好ましい。
また、上記目的を達成するためのルアーは、前記ルアー用コネクタと、前記複数の突出部の前記挿通孔のうちの少なくとも１つに挿通された釣り針と、を備える。
【００１２】
同構成によれば、前記ルアー用コネクタと同様な作用効果を奏することができる。
【考案の効果】
【００１３】
本考案によれば、釣り糸が連結されている状態の釣り針に対して、集魚用パーツを容易に着脱することができる。
【図面の簡単な説明】
【００１４】
【図１】ルアーの一実施形態を示す斜視図。
【図２】同実施形態のルアー用コネクタを示す図であって、（ａ）は、正面図、（ｂ）は（ａ）のＡ‐Ａ線に沿った縦断面図。
【図３】同実施形態のコネクタについて、スカート及びブレードが連結された状態を示す側面図。
【図４】変形例のコネクタについて、スカート及び他の釣り針が連結された状態を示す側面図。
【考案を実施するための形態】
【００１５】
以下、図１〜図３を参照して、ルアー用コネクタ及びルアーの一実施形態について説明する。
図１〜図３に示すように、本実施形態のルアーは、釣り針２０、集魚用パーツとしてのスカート３０、及び釣り針２０とスカート３０との間に介設されるコネクタ１０を備えている。
【００１６】
図２（ａ）及び図２（ｂ）に示すように、コネクタ１０は、円筒状の軸部１２、軸部１２の一端部に設けられるとともに軸部１２の他の部分よりも外径が拡大された拡径部１４、及び拡径部１４から外周側に向けて突出するとともに周方向に間隔をおいて形成された複数（本実施形態では８つ）の突出部１６を有している。複数の突出部１６は、軸部１２を中心に放射状に形成されており、正面視花形をなしている。
【００１７】
各突出部１６には、軸部１２の軸線方向に貫通する挿通孔１６ａが形成されている。各挿通孔１６ａは、径方向に沿って延びるスリット状をなしている。コネクタ１０は、例えばシリコンゴムなどの可撓性の材料により一体に形成されている。
【００１８】
図１及び図３に示すように、軸部１２の外周面には、多数の紐からなるスカート３０が合成樹脂繊維からなる締結部材３２を締め付けることにより連結されている。なお、図３に示すように、軸部１２の中心孔１２ａに対して拡径部１４とは反対側からヨリモドシ４０の一端部を挿入して組み付けることもできる。このとき、中心孔１２ａの内周面とヨリモドシ４０とは圧接されている。この場合、ヨリモドシ４０の他端部に、スプリットリング５２を介して集魚用パーツとしてのブレード５０を連結することもできる。
【００１９】
本実施形態の釣り針２０は、図示しない釣り糸が連結される１つの連結孔部２２、連結孔部２２から延びるストレート部２４、及びストレート部２４から３つに分岐して外周側に延びる分岐部２６、各分岐部２６の先端に形成された針先２８を有する３本針である。
【００２０】
図１に示すように、複数の突出部１６の挿通孔１６ａのうちの３つには、軸部１２の一端側から釣り針２０の３つの針先２８がそれぞれ挿通されている。３つの針先２８が３つの挿通孔１６ａに挿通されている状態において、当該挿通孔１６ａを有する突出部１６は軸部１２の一端側、すなわち釣り針２０の連結孔部２２側に向けて撓んでいる。このとき、当該突出部１６の復元力によって釣り針２０の分岐部２６に対して挿通孔１６ａの内周面が押圧されている。これにより、各挿通孔１６ａからの分岐部２６の抜け止めがなされている。
【００２１】
次に、本実施形態の作用について説明する。
コネクタ１０の軸部１２にスカート３０が連結されるとともに、コネクタ１０の複数の突出部１６の挿通孔１６ａのうちの３つに釣り針２０が挿通される。ここで、コネクタ１０は可撓性の材料により一体に形成されているため、突出部１６を適宜撓ませることにより挿通孔１６ａに対して釣り針２０を着脱することができる。
【００２２】
以上説明した本実施形態に係るルアー用コネクタ及びルアーによれば、以下に示す効果が得られるようになる。
（１）ルアー用コネクタ１０は、釣り針２０と、集魚用パーツとしてのスカート３０との間に介設されるものであって、スカート３０が連結される軸部１２と、軸部１２よりも外周側に向けて突出するとともに釣り針２０が挿通される挿通孔１６ａを有し、周方向に間隔をおいて形成された複数の突出部１６とを備えている。コネクタ１０は、可撓性の材料により一体に形成されている。
【００２３】
こうした構成によれば、上記作用を奏することから、釣り糸が連結されている状態の釣り針２０に対して、スカート３０を容易に着脱することができる。これにより、スカート３０やブレード５０が連結された他のコネクタ１０に容易に変更することができ、コネクタ１０を変更する時間を短縮することができる。
【００２４】
（２）軸部１２の外周面には、スカート３０が連結されている。
こうした構成によれば、締結部材３２によってスカート３０を安定して軸部１２に連結することができる。
【００２５】
（３）軸部１２は中心孔１２ａを有している。軸部１２の中心孔１２ａには、ヨリモドシ４０の一端部が挿入して固定されており、ヨリモドシ４０の他端部には、スプリットリング５２を介してブレード５０が連結されている。
【００２６】
こうした構成によれば、軸部１２の中心孔１２ａにヨリモドシ４０の一端部を挿通して組み付けることで、ヨリモドシ４０を介してブレード５０を軸部１２に容易に連結することができる。
【００２７】
（４）ルアーは、コネクタ１０と、複数の突出部１６の挿通孔１６ａのうちの３つに挿通された釣り針２０とを備えている。
こうした構成によれば、上記効果（１）と同様な作用効果を奏することができる。
【００２８】
＜変形例＞
なお、上記実施形態は、例えば以下のように変更することもできる。
・上記実施形態のコネクタ１０に対して、２つの分岐部２６を有する２本針を適用することもできる。この場合、複数の突出部１６の挿通孔１６ａのうちの２つに釣り針を挿通すればよい。また、上記実施形態のコネクタ１０に対して、１本針を適用することもできる。
【００２９】
・図３に示した例において、スカート３０を省略してもよい。この場合、軸部１２の中心孔１２ａに対して拡径部１４とは反対側からヨリモドシ４０の一端部を挿入し、軸部１２を締結部材３２により締め付けるようにすれば、圧縮された軸部１２によりヨリモドシ４０の一端部が締め付けられることとなり、軸部１２からのヨリモドシ４０の抜け出しが効果的に抑制できる。
【００３０】
・締結部材は合成樹脂繊維に限られるものではなく、軸部１２に対して外周側から嵌合されることによりスカート３０を締結するものであってもよい。
・ヨリモドシ４０の他端部に、スプリットリング５２を介してブレード５０以外の他の集魚用パーツを連結するようにしてもよい。
【００３１】
・突出部１６の挿通孔１６ａの形状を円孔などの他の形状に変更してもよい。
・図４に示すように、コネクタ１０の軸部１２の中心孔１２ａに対して、挿通孔１６ａに挿通される釣り針２０とは別の釣り針６０の連結孔部６２及びストレート部６４を他端側から挿通するようにしてもよい。ストレート部６４には釣り針２０と同様に３つに分岐して外周側に延びる分岐部６６が設けられている。この場合、軸部１２が撓んで中心孔１２ａが拡径されることにより釣り針６０の挿通が許容される一方、軸部１２の復元力により軸部１２からの釣り針６０の抜け止めがなされる。
【００３２】
・軸部１２の外周面に、スカート３０に代えて、あるいはスカート３０に加えて、集魚用パーツとしてのネクタイと称される帯状部材を連結するようにしてもよい。
・軸部１２が中心孔１２ａを有していない柱状のものであってもよい。
【００３３】
・軸部１２が拡径部１４に対して偏心して設けられていてもよい。
・突出部１６の数は２つ以上であればよく、その数を適宜変更することができる。
・複数の突出部１６の形状（径方向の長さや、周方向の幅、厚さ）などを互いに異ならせることもできる。
【００３４】
・コネクタ１０の拡径部１４を省略し、軸部１２の外周面に複数の突出部１６を突設してもよい。
【符号の説明】
【００３５】
１０…コネクタ、１２…軸部、１２ａ…中心孔、１４…拡径部、１６…突出部、１６ａ…挿通孔、２０…釣り針、２２…連結孔部、２４…ストレート部、２６…分岐部、２８…針先、３０…スカート、３２…締結部材、４０…ヨリモドシ、５０…ブレード、５２…スプリットリング、６０…釣り針、６２…連結孔部、６４…ストレート部、６６…分岐部。
【図１】
0003212240.tif 000003
【図２】
0003212240.tif 000004
【図３】
0003212240.tif 000005
【図４】
0003212240.tif 000006